(57)【要約】【課題】素材とする複数の映像ファイルのうち少なくとも一部から連結映像に組み入れるべき映像をそれぞれ抽出する際に撮影時期の偏りを抑止する。【解決手段】本発明の一態様である「情報処理装置」（例えば、編集管理サーバ２０）は、特定のオブジェクトに関連する複数の映像ファイルを所定期間ごとに区切られた複数の区分のいずれかに撮影時期に応じてそれぞれ仕分ける仕分手段（例えば、仕分部２０２０）と、連結映像に組み入れられる指定長さの抽出部分がそれぞれ特定されるべき複数の選定ファイルを前記複数の映像ファイルの中から選定する際に加味される重みを該複数の映像ファイルに対して前記仕分手段により仕分けられる映像ファイルの数が多い区分の映像ファイルほど選定されにくくなるようにそれぞれ設定する設定手段（例えば、設定部２０３０）と、を具備する。【選択図】図６
2019205178.tif 000002
【特許請求の範囲】
【請求項１】
特定のオブジェクトに関連する複数の映像ファイルを所定期間ごとに区切られた複数の区分のいずれかに撮影時期に応じてそれぞれ仕分ける仕分手段と、
連結映像に組み入れられる指定長さの抽出部分がそれぞれ特定されるべき複数の選定ファイルを前記複数の映像ファイルの中から選定する際に加味される重みを該複数の映像ファイルに対して前記仕分手段により仕分けられる映像ファイルの数が多い区分の映像ファイルほど選定されにくくなるようにそれぞれ設定する設定手段と、
を具備する情報処理装置。
【請求項２】
前記設定手段が、１の映像ファイルが選定される度に該映像ファイルと所定の関係を有する他の映像ファイルが選定されなくなるように又は再設定前に比較して選定されにくくなるように該他の映像ファイルに重みを再設定し、
前記設定手段により設定される最新の重みを加味して複数の前記選定ファイルを順次選定する選定手段をさらに具備する、
請求項１に記載の情報処理装置。
【請求項３】
前記設定手段が、１の映像ファイルが選定される度に該映像ファイルと同一の区分に属する他の映像ファイルの少なくとも一部が選定されなくなるように又は再設定前に比較して選定されにくくなるように該他の映像ファイルに重みを再設定する、
請求項２に記載の情報処理装置。
【請求項４】
前記仕分手段が、撮影時期が所定の基準を満たす程度に近接する複数の映像ファイルが同一のグループに属するように前記複数の映像ファイルを前記区分内でさらにグループ化し、
前記設定手段が、１の映像ファイルが選定される度に該映像ファイルと同一のグループに属する他の関連映像ファイルが選定されなくなるように又は再設定前に比較して選定されにくくなるように該他の関連映像ファイルに重みを再設定する、
請求項３に記載の情報処理装置。
【請求項５】
前記仕分手段が、撮影時期の少なくとも一部が相互に重なる複数の映像ファイルが同一のグループに属するようにグループ化し、
前記設定手段が、１の映像ファイルが選定される度に該映像ファイルと同一のグループに属する前記他の関連映像ファイルが選定されなくなるように該他の関連映像ファイルに重みを再設定する、
請求項４に記載の情報処理装置。
【請求項６】
前記仕分手段が、撮影位置が所定の基準を満たす程度に近接する場合に限り撮影時期の少なくとも一部が重なる複数の映像ファイルが同一のグループに属するように前記複数の映像ファイルをさらにグループ化する、
請求項５に記載の情報処理装置。
【請求項７】
前記仕分手段が、同一のディレクトリに保存されており又は同一のタグデータが付加されている場合に限り撮影時期の少なくとも一部が重なる複数の映像ファイルが同一のグループに属するように前記複数の映像ファイルをさらにグループ化する、
請求項５に記載の情報処理装置。
【請求項８】
複数の前記選定ファイルにおいてそれぞれ特定される前記抽出部分が順次表示される前記連結映像を表示装置に表示させる提示手段と、
前記連結映像の表示中に視聴者の所定動作により指定される指定部分を代替映像に差し替える編集手段と、
をさらに具備する請求項４から請求項７までのいずれか一項に記載の情報処理装置。
【請求項９】
前記提示手段が、前記指定部分の抽出元の選定ファイルの他の部分及び該選定ファイルと同一のグループに属する前記他の関連映像ファイルの部分の少なくともいずれかをそれぞれ含む複数の前記代替映像の候補を連結した候補連結映像を該指定部分が指定された後に前記表示装置にさらに表示させ、
前記編集手段が、前記候補連結映像の表示中に視聴者の指定操作により指定される指定候補を前記代替映像に取り込む、
請求項８に記載の情報処理装置。
【請求項１０】
前記提示手段が、前記選定ファイル及び該選定ファイルと同一のグループに属する前記他の関連映像ファイルにおいてそれぞれ特定される前記抽出部分の候補が複数の区画に分割された画面に同時に表示される分割映像を含む前記連結映像を前記表示装置に表示させ、
前記編集手段が、前記指定部分が前記分割映像を含む場合に該指定部分を指定するためのタッチ操作により併せて指定される指定区画に表示されていた候補を前記代替映像に取り込む、
請求項８に記載の情報処理装置。
【請求項１１】
前記提示手段が、前記選定ファイル及び該選定ファイルと同一のグループに属する前記他の関連映像ファイルにおいてそれぞれ特定される前記抽出部分の候補が複数の区画に分割された画面に同時に表示される分割映像を含む前記連結映像を前記表示装置に表示させ、
前記編集手段が、前記指定部分が前記分割映像を含む場合に該指定部分を指定するための第１タッチ操作により併せて指定される指定区画に表示されていた候補を前記代替映像に取り込み、
前記提示手段が、前記指定部分が前記分割映像を含む場合に該指定部分を指定するための第２タッチ操作により併せて指定される指定区画に表示されていた候補の抽出元の選定ファイルの他の部分をそれぞれ含む複数の前記代替映像の候補を連結した候補連結映像を該指定区画が指定された後に前記表示装置にさらに表示させ、
前記編集手段が、前記候補連結映像の表示中に視聴者の指定操作により指定される指定候補を前記代替映像に取り込む、
請求項８に記載の情報処理装置。
【請求項１２】
前記提示手段が、前記選定ファイル及び該選定ファイルと同一のグループに属する前記他の関連映像ファイルにおいてそれぞれ特定される前記抽出部分の候補が複数の区画に分割された画面に同時に表示される分割映像を含む前記連結映像を前記表示装置に表示させ、
前記編集手段が、前記指定部分が前記分割映像を含む場合に該指定部分を指定するための第１タッチ操作により併せて指定される指定区画に表示されていた候補を前記代替映像に取り込み、
前記提示手段が、前記指定部分が前記分割映像を含む場合に該指定部分を指定するための第２タッチ操作により併せて指定される指定区画に表示されていた候補の抽出元の選定ファイルの他の部分をそれぞれ含む複数の前記代替映像の候補が複数の区画に分割された画面に同時に表示される候補分割映像を該指定区画が指定された後に前記表示装置にさらに表示させ、
前記編集手段が、前記候補分割映像の表示中に視聴者のタッチ操作により指定される指定区画に表示されていた候補を前記代替映像に取り込む、
請求項８に記載の情報処理装置。
【請求項１３】
前記設定手段が、１の映像ファイルが選定される度に該映像ファイルと撮影時期が前記区分の境界を跨いで所定の基準を満たす程度に近接する他の映像ファイルが選定されにくくなるように該他の映像ファイルに重みを再設定する、
請求項３から請求項１２までのいずれか一項に記載の情報処理装置。
【請求項１４】
前記設定手段が、１の映像ファイルが選定される度に該映像ファイルと撮影装置又は投稿者が一致する他の映像ファイルが選定されにくくなるように該他の映像ファイルに重みを再設定する、
請求項２から請求項１３までのいずれか一項に記載の情報処理装置。
【請求項１５】
特定のオブジェクトに関連する複数の映像ファイルを所定期間ごとに区切られた複数の区分のいずれかに撮影時期に応じてそれぞれ仕分ける仕分ステップと、
連結映像に組み入れられる指定長さの抽出部分がそれぞれ特定されるべき複数の選定ファイルを前記複数の映像ファイルの中から選定する際に加味される重みを該複数の映像ファイルに対して前記仕分ステップにおいて仕分けられる映像ファイルの数が多い区分の映像ファイルほど選定されにくくなるようにそれぞれ設定する設定ステップと、
を含む、情報処理装置の制御方法。
【請求項１６】
特定のオブジェクトに関連する複数の映像ファイルを所定期間ごとに区切られた複数の区分のいずれかに撮影時期に応じてそれぞれ仕分ける仕分機能と、
連結映像に組み入れられる指定長さの抽出部分がそれぞれ特定されるべき複数の選定ファイルを前記複数の映像ファイルの中から選定する際に加味される重みを該複数の映像ファイルに対して前記仕分機能により仕分けられる映像ファイルの数が多い区分の映像ファイルほど選定されにくくなるようにそれぞれ設定する設定機能と、
を情報処理装置のコンピュータに実現させるための制御プログラム。
【発明の詳細な説明】
【技術分野】
【０００１】
本発明は、映像を編集する仕組みに関する。特に、複数の映像ファイルのうち少なくとも一部からそれぞれ抽出される映像を連結して連結映像を生成する仕組みに関するものである。
【背景技術】
【０００２】
一定期間内に撮影された複数の動画ファイルのうち少なくとも一部から画像信号又は音声信号が所定の基準を満たす部分を含む部分動画像をそれぞれ抽出しこれらを結合して編集済ファイルを生成する編集装置が知られている（例えば、特許文献１参照。）。
特許文献１記載の編集装置は、動画を構成するフレーム画像及び音声を解析し、撮影時に強制抽出信号が付与された部分，撮影時にズームアップされた部分，記録された音量が大きい部分等を含む動画ファイルから当該部分を含む部分動画像を優先的に抽出する。
【先行技術文献】
【特許文献】
【０００３】
【特許文献１】特開２００２−１７６６１３号公報
【発明の概要】
【発明が解決しようとする課題】
【０００４】
時間の経過とともに外観が変化し得るオブジェクト（例えば、人物，胎児，動物，植物，微生物，細胞，景観など）をそれぞれ被写体とする複数の映像ファイルが比較的長期間にわたって撮りためられていることがある。これら複数の映像ファイルから好適な部分を抽出し撮影時期の順に連結すれば、被写体であるオブジェクトの変遷を表現する連結映像になり得る。
【０００５】
映像の抽出に関し、特許文献１記載の編集装置のように解析結果に基づく優先度が相対的に高い部分を優先する手法を採用すれば、ユーザにとって価値が高いであろう部分が抽出されやすくなる。その一方で、解析結果に基づく優先度が相対的に高い部分を含む映像の撮影時期が時間軸上に満遍なく分布することはまずないので、当該手法により抽出される映像の撮影時期には偏りが発生しやすい。
【０００６】
本発明が解決しようとする課題は、素材とする複数の映像ファイルのうち少なくとも一部から連結映像に組み入れるべき映像をそれぞれ抽出する際に撮影時期の偏りを抑止する、という点である。
【課題を解決するための手段】
【０００７】
上記課題を解決するため、本発明の一態様である「情報処理装置」は、特定のオブジェクトに関連する複数の映像ファイルを所定期間ごとに区切られた複数の区分のいずれかに撮影時期に応じてそれぞれ仕分ける仕分手段と、連結映像に組み入れられる指定長さの抽出部分がそれぞれ特定されるべき複数の選定ファイルを前記複数の映像ファイルの中から選定する際に加味される重みを該複数の映像ファイルに対して前記仕分手段により仕分けられる映像ファイルの数が多い区分の映像ファイルほど選定されにくくなるようにそれぞれ設定する設定手段と、を具備する。
上記課題を解決するため、本発明の一態様である「情報処理装置の制御方法」は、特定のオブジェクトに関連する複数の映像ファイルを所定期間ごとに区切られた複数の区分のいずれかに撮影時期に応じてそれぞれ仕分ける仕分ステップと、連結映像に組み入れられる指定長さの抽出部分がそれぞれ特定されるべき複数の選定ファイルを前記複数の映像ファイルの中から選定する際に加味される重みを該複数の映像ファイルに対して前記仕分ステップにおいて仕分けられる映像ファイルの数が多い区分の映像ファイルほど選定されにくくなるようにそれぞれ設定する設定ステップと、を含む。
上記課題を解決するため、本発明の一態様である「制御プログラム」は、特定のオブジェクトに関連する複数の映像ファイルを所定期間ごとに区切られた複数の区分のいずれかに撮影時期に応じてそれぞれ仕分ける仕分機能と、連結映像に組み入れられる指定長さの抽出部分がそれぞれ特定されるべき複数の選定ファイルを前記複数の映像ファイルの中から選定する際に加味される重みを該複数の映像ファイルに対して前記仕分機能により仕分けられる映像ファイルの数が多い区分の映像ファイルほど選定されにくくなるようにそれぞれ設定する設定機能と、を情報処理装置のコンピュータに実現させる。
上記課題を解決するため、本発明の一態様である「記録媒体」にコンピュータ読取り可能に記録される制御プログラムは、特定のオブジェクトに関連する複数の映像ファイルを所定期間ごとに区切られた複数の区分のいずれかに撮影時期に応じてそれぞれ仕分ける仕分機能と、連結映像に組み入れられる指定長さの抽出部分がそれぞれ特定されるべき複数の選定ファイルを前記複数の映像ファイルの中から選定する際に加味される重みを該複数の映像ファイルに対して前記仕分機能により仕分けられる映像ファイルの数が多い区分の映像ファイルほど選定されにくくなるようにそれぞれ設定する設定機能と、を情報処理装置のコンピュータに実現させる。
【０００８】
本発明において「映像ファイル」とは、任意の装置により記録されたコンテンツ（例えば、動画像データと静止画像データとのうち少なくともいずれか又は当該少なくともいずれかと音声データとの組合せ）とメタデータ（例えば、撮影時期，撮影位置など）とを含むひとまとまりのデータをいう。
本発明において「映像ファイル」が「特定のオブジェクトに関連する」とは、特定のオブジェクト（例えば、時間の経過とともに外観が変化し得るオブジェクト（例えば、人物，胎児，動物，植物，微生物，細胞，景観など））を撮影した映像（例えば、動画像，静止画像）を含むこと又はその可能性が高いことをいう。なお、例えば、特定のオブジェクトに関連付けられたディレクトリに格納されていたり、特定のオブジェクトに関連付けられたタグやコメントが付加されていたり、特定のオブジェクトに関連するタイトルが付与されていたりする映像ファイルは、当該オブジェクトを撮影した映像を含む可能性が高いといえる。
本発明において「所定期間」は特に限定されない。例えば、１週間，１か月間，３か月間，半年間，１年間といった暦上の期間が好適である。
本発明において「連結映像」とは、異なる複数の映像が連続的に表示される一連の映像をいう。「連結映像」は、１の映像ファイルにそれぞれ採録された異なる複数の映像の集合であってもよいし、再生リストに基づいて連続的に再生される異なる複数の映像の集合であってもよい。
本発明において「連結映像に組み入れる」とは、連結映像をコンテンツとする映像ファイル（連結映像ファイル）のコンテンツに採録すること、又は、連結映像を再生させるための再生リストに編入することをいう。
本発明において「指定長さ」は、特に限定されない。例えば、「指定長さの抽出部分」は選定ファイル内のある時点（始点）から他の時点（終点）までのＸ秒間分（Ｘ：適当な正の実数）の映像（一連の複数の静止画像（すなわち動画像））であるのが好適であるが、選定ファイル内のある時点の映像（単数のフレーム画像）であってもよい。Ｘの値は全ての選定ファイルに一律に指定されてもよいし選定ファイルごとに個別に指定されてもよい。なお、抽出部分が単数の静止画像である場合、連結映像では当該静止画像が所定の時間だけ表示され続ける。
本発明において「複数の選定ファイルを・・・選定する」処理は「情報処理装置」が実行してもよいし他の装置が実行していてもよい。
本発明において「重み」とは、選定されやすさの度合いを示すデータをいう。「重み」はある区分に属する全ての映像ファイルに一律に設定してもよいし映像ファイルごとに個別に設定してもよい。また、一度設定された「重み」の一部又は全部を状況に応じて変化させてもよい。
本発明において選定する際に「重み」を「加味」するとは、「重み」が示す選定されやすさの度合いが高い映像ファイルほど優先的に又は高い確率で選定される手法により選定することをいう。例えば、各映像ファイルに設定された重みの合計値に応じて各区分に選定数を割り当て各区分から割当数分の映像ファイルを選定する手法を採用してもよいし、各映像ファイルに設定された重みの大きさの比に応じて所定の数値範囲を分割し各映像ファイルをいずれかの分割範囲にそれぞれ対応付け当該数値範囲の疑似乱数を発生させて発生した疑似乱数を含む分割範囲に対応付けられた映像ファイルを選定する手法を採用してもよい。
本発明において「重み」が「映像ファイルの数が多い区分の映像ファイルほど選定されにく」いとは、「区分に属する映像ファイルの数」の関数として定義される「当該区分に属する映像ファイルの重み」が「区分に属する映像ファイルの数」の増大に伴い単調に減少することをいう。例えば、各映像ファイルに当該映像ファイルが属する区分に仕分けられた映像ファイルの数に反比例する重みをそれぞれ設定するのが好適である。
【０００９】
上記「情報処理装置」には、以下に例示する技術的限定を加えてもよい。また、同趣旨の技術的限定を、「情報処理装置の制御方法」，「制御プログラム」及び「記録媒体」に加えてもよい。
例えば、前記設定手段が、１の映像ファイルが選定される度に該映像ファイルと所定の関係を有する他の映像ファイルが選定されなくなるように又は再設定前に比較して選定されにくくなるように該他の映像ファイルに重みを再設定し、前記設定手段により設定される最新の重みを加味して複数の前記選定ファイルを順次選定する選定手段をさらに具備する、という技術的限定を加えてもよい。
ここで、「最新の重みを加味」して選定ファイルを「順次選定」するとは、１の選定ファイルが選定される度に映像ファイルの少なくとも一部に重みを再設定し再設定後の重みを加味して新たな選定ファイルを選定する、という一連の手順を選定ファイルの数が所望の数に達するまで繰り返すことをいう。
ここで、「最新の重みを加味」するとは、「重み」が示す選定されやすさの度合いが相対的に高い映像ファイルほど優先的に又は高い確率で選定される手法により選定することをいう。例えば、設定された重みが相対的に最も高い映像ファイルを最優先で選定する手法を採用してもよいし、各映像ファイルに設定された重みの大きさの比に応じて所定の数値範囲の数値を分割し各映像ファイルをいずれかの分割範囲にそれぞれ対応付け当該数値範囲の疑似乱数を発生させて発生した疑似乱数を含む分割範囲に対応付けられている映像ファイルを選定する手法を採用してもよい。
【００１０】
上記「再設定」に関する技術的限定を加えた「情報処理装置」には、以下に例示する技術的限定をさらに加えてもよい。また、同趣旨の技術的限定を、「情報処理装置の制御方法」，「制御プログラム」及び「記録媒体」に加えてもよい。
例えば、前記設定手段が、１の映像ファイルが選定される度に該映像ファイルと同一の区分に属する他の映像ファイルの少なくとも一部が選定されなくなるように又は再設定前に比較して選定されにくくなるように該他の映像ファイルに重みを再設定する、という技術的限定を加えてもよい。
具体的には、前記仕分手段が、撮影時期が所定の基準を満たす程度に近接する（例えば、映像ファイルを短期区分（時間帯，撮影日，撮影週など「区分」より相対的に短期の区分）に仕分けた場合に撮影時期が同一の短期区分に属する関係にある）複数の映像ファイルが同一のグループに属するように前記複数の映像ファイルを前記区分内でさらにグループ化し、前記設定手段が、１の映像ファイルが選定される度に該映像ファイルと同一のグループに属する他の関連映像ファイルが選定されなくなるように又は再設定前に比較して選定されにくくなるように該他の関連映像ファイルに重みを再設定する、という技術的限定を加えてもよい。
【００１１】
上記「グループ化」に関する技術的限定を加えた「情報処理装置」には、以下に例示するように種々の技術的限定をさらに加えてもよい。また、同趣旨の技術的限定を、「情報処理装置の制御方法」，「制御プログラム」及び「記録媒体」にさらに加えてもよい。
例えば、前記仕分手段が、撮影時期の少なくとも一部が相互に重なる（例えば、一方の映像ファイルの撮影開始時期から撮影終了時期までの期間内に他方の映像ファイルの撮影開始時期と撮影終了時期との少なくともいずれかが含まれる関係にある）複数の映像ファイルが同一のグループに属するようにグループ化し、前記設定手段が、１の映像ファイルが選定される度に該映像ファイルと同一のグループに属する前記他の関連映像ファイルが選定されなくなるように該他の関連映像ファイルに重みを再設定する、という技術的限定をさらに加えてもよい。
なお、前記仕分手段が、撮影時期の少なくとも一部が重なる複数の映像ファイルが同一のグループに属するように前記複数の映像ファイルをさらにグループ化する条件として、撮影位置が所定の基準を満たす程度に近接する（例えば、撮影位置間の直線距離が所定閾値を超えない関係にある）場合、又は、同一のディレクトリに保存されており若しくは同一のタグデータが付加されている場合に限ってもよい。
【００１２】
上記「グループ化」に関する技術的限定を加えた「情報処理装置」には、以下に例示するように、種々の技術的限定をさらに加えてもよい。また、同趣旨の技術的限定を、「情報処理装置の制御方法」，「制御プログラム」及び「記録媒体」にさらに加えてもよい。
例えば、複数の前記選定ファイルにおいてそれぞれ特定される前記抽出部分が順次表示される前記連結映像を表示装置に表示させる提示手段と、前記連結映像の表示中（例えば、通常再生中，スロー再生中，一時停止中など）に視聴者の所定動作（例えば、発声，ジェスチャ，マウス操作，ボタン操作，タッチ操作）により指定される指定部分を代替映像に差し替える編集手段と、をさらに具備する、という技術的限定を加えてもよい。
このとき、前記提示手段が、前記指定部分の抽出元の選定ファイルの他の部分及び該選定ファイルと同一のグループに属する前記他の関連映像ファイルの部分の少なくともいずれかをそれぞれ含む複数の前記代替映像の候補を連結した候補連結映像を該指定部分が指定された後（例えば、指定部分が指定された直後，連結映像の表示が終了した後など）に前記表示装置にさらに表示させ、前記編集手段が、前記候補連結映像の表示中に視聴者の指定操作（例えば、発声，ジェスチャ，マウス操作，ボタン操作，タッチ操作）により指定される指定候補を前記代替映像に取り込む、という技術的限定をさらに加えてもよい。
また、前記提示手段が、前記選定ファイル及び該選定ファイルと同一のグループに属する前記他の関連映像ファイルにおいてそれぞれ特定される前記抽出部分の候補が複数の区画に分割された画面に同時に表示される分割映像を含む前記連結映像を前記表示装置に表示させ、前記編集手段が、前記指定部分が前記分割映像を含む場合に該指定部分を指定するためのタッチ操作（例えば、シングルタップ操作，ダブルタップ操作など）により併せて指定される指定区画に表示されていた候補を前記代替映像に取り込む、という技術的限定をさらに加えてもよい。
また、前記提示手段が、前記選定ファイル及び該選定ファイルと同一のグループに属する前記他の関連映像ファイルにおいてそれぞれ特定される前記抽出部分の候補が複数の区画に分割された画面に同時に表示される分割映像を含む前記連結映像を前記表示装置に表示させ、前記編集手段が、前記指定部分が前記分割映像を含む場合に該指定部分を指定するための第１タッチ操作（例えば、シングルタップ操作，第２タッチ操作と異なる特定方向へのフリック操作やスワイプ操作など）により併せて指定される指定区画に表示されていた候補を前記代替映像に取り込み、前記提示手段が、前記指定部分が前記分割映像を含む場合に該指定部分を指定するための第２タッチ操作（例えば、ダブルタップ操作，第１タッチ操作と異なる特定方向へのフリック操作やスワイプ操作など）により併せて指定される指定区画に表示されていた候補の抽出元の選定ファイルの他の部分をそれぞれ含む複数の前記代替映像の候補を連結した候補連結映像を該指定区画が指定された後に前記表示装置にさらに表示させ、前記編集手段が、前記候補連結映像の表示中に視聴者の指定操作（例えば、発声，ジェスチャ，マウス操作，ボタン操作，タッチ操作）により指定される指定候補を前記代替映像に取り込む、という技術的限定をさらに加えてもよい。
また、前記提示手段が、前記選定ファイル及び該選定ファイルと同一のグループに属する前記他の関連映像ファイルにおいてそれぞれ特定される前記抽出部分の候補が複数の区画に分割された画面に同時に表示される分割映像を含む前記連結映像を前記表示装置に表示させ、前記編集手段が、前記指定部分が前記分割映像を含む場合に該指定部分を指定するための第１タッチ操作（例えば、シングルタップ操作，第２タッチ操作と異なる特定方向へのフリック操作やスワイプ操作など）により併せて指定される指定区画に表示されていた候補を前記代替映像に取り込み、前記提示手段が、前記指定部分が前記分割映像を含む場合に該指定部分を指定するための第２タッチ操作（例えば、ダブルタップ操作，第１タッチ操作と異なる特定方向へのフリック操作やスワイプ操作など）により併せて指定される指定区画に表示されていた候補の抽出元の選定ファイルの他の部分をそれぞれ含む複数の前記代替映像の候補が複数の区画に分割された画面に同時に表示される候補分割映像を該指定区画が指定された後に前記表示装置にさらに表示させ、前記編集手段が、前記候補分割映像の表示中に視聴者のタッチ操作（例えば、シングルタップ操作，ダブルタップ操作など）により指定される指定区画に表示されていた候補を前記代替映像に取り込む、という技術的限定をさらに加えてもよい。
【００１３】
上記「再設定」に関する技術的限定（特に、「所定の関係」として「選定された映像ファイルと同一の区分に属する他の映像ファイルの少なくとも一部」を想定する技術的限定）を加えた「情報処理装置」には、以下に例示するように、種々の技術的限定をさらに加えてもよい。また、同趣旨の技術的限定を、「情報処理装置の制御方法」，「制御プログラム」及び「記録媒体」にさらに加えてもよい。
例えば、前記設定手段が、１の映像ファイルが選定される度に該映像ファイルと撮影時期が前記区分の境界を跨いで所定の基準を満たす程度に近接する（例えば、撮影間隔が所定日数以内である，「区分」を均等にｎ分割したサブ区間が隣接する関係にある）他の映像ファイルが選定されにくくなるように該他の映像ファイルに重みを再設定する、という技術的限定を加えてもよい。
【００１４】
上記「再設定」に関する技術的限定を加えた「情報処理装置」には、以下に例示するように、種々の技術的限定をさらに加えてもよい。また、同趣旨の技術的限定を、「情報処理装置の制御方法」，「制御プログラム」及び「記録媒体」にさらに加えてもよい。
例えば、前記設定手段が、１の映像ファイルが選定される度に該映像ファイルと撮影装置又は投稿者（投稿時のユーザアカウント）が一致する他の映像ファイルが選定されにくくなるように該他の映像ファイルに重みを再設定する、という技術的限定を加えてもよい。
【発明の効果】
【００１５】
本発明は、映像ファイルが相対的に多い時期に撮影された映像ファイルを相対的に選定されにくく設定することにより、時期的に近接する複数の映像ファイルばかりから映像が抽出される可能性を軽減させる。
したがって、本発明によれば、素材とする複数の映像ファイルのうち少なくとも一部から連結映像に組み入れるべき映像をそれぞれ抽出する際に撮影時期が偏りにくい。
【図面の簡単な説明】
【００１６】
【図１】重み設定の具体例の説明図である。（実施形態）
【図２】実施例のシステムのネットワーク構成例の説明図である。（実施例）
【図３】サーバ装置のハードウェア構成例の説明図である。（実施例）
【図４】ユーザ装置のハードウェア構成例の説明図である。（実施例）
【図５】ユーザ端末、配信管理サーバ及びファイル管理サーバの機能構成例の説明図である。（実施例）
【図６】ユーザ端末、編集管理サーバ及びファイル管理サーバの機能構成例の説明図である。（実施例）
【図７】動画ファイルに付随するメタデータの項目例の説明図である。（実施例）
【図８】連結動画生成手順の説明図である。（実施例）
【図９】グループ化手順の説明図である。（変形例１Ａ）
【図１０】連結動画生成手順の説明図である。（変形例１Ａ）
【図１１】重み設定手順の説明図である。（変形例１Ｂ）
【図１２】連結動画生成手順の説明図である。（変形例１Ｂ）
【図１３】連結動画編集手順の説明図である。（変形例２Ａ）
【図１４】連結動画編集手順の説明図である。（変形例２Ｂ）
【発明を実施するための形態】
【００１７】
［１．実施形態］
［１−１．概要］
時間の経過とともに外観が変化し得るオブジェクト（例えば、人物，胎児，動物，植物，微生物，細胞，景観など）をそれぞれ被写体とする複数の映像ファイルから好適な映像を抽出し撮影時期の順に連結することにより、被写体であるオブジェクトの変遷を表現する連結映像を生成する。
本実施形態では、素材とする複数の映像ファイルのうち少なくとも一部から連結映像に組み入れるべき映像をそれぞれ抽出する際に撮影時期の偏りを抑止するため、映像ファイルが相対的に多い時期に撮影された映像ファイルを相対的に選定されにくく設定することにより時期的に近接する複数の映像ファイルばかりから映像が抽出される可能性を軽減させる。
【００１８】
［１−２．情報処理装置］
本実施形態に係る情報処理装置は、特定のオブジェクトに関連する複数の映像ファイルを所定期間ごとに区切られた複数の区分のいずれかに撮影時期に応じてそれぞれ仕分ける仕分部と、連結映像に組み入れられる指定長さの抽出部分がそれぞれ特定されるべき複数の選定ファイルを前記複数の映像ファイルの中から選定する際に加味される重みを該複数の映像ファイルに対して前記仕分部により仕分けられる映像ファイルの数が多い区分の映像ファイルほど選定されにくくなるようにそれぞれ設定する設定部と、を具備する。
【００１９】
図１を参照して重みの設定の具体例を示す。
例えば、複数の映像ファイルを撮影時期に応じて複数の区分（例えば、区分ｎ〜区分ｎ＋３（ｎ：適当な自然数））に仕分けた結果が、図１に示すようになったとする。なお、図１のグラフにおいて、横軸は区分（ｉ）を、縦軸は映像ファイルの数（Ｎ（ｉ））を、それぞれ表す。この結果によれば、区分ごとの映像ファイルの数の比率は下記［数１］に示すように表される。
このとき、下記［数２］に示すように映像ファイルの数の逆数の比率で重み（Ｗ（ｉ））を設定すれば、映像ファイルの数が多い区分の映像ファイルほど選定されにくくなる。本実施形態では、このように設定される重みを加味して選定される映像ファイルから、連結映像を構成するべき指定長さの抽出部分がそれぞれ抽出される。
【００２０】
【数１】
2019205178.tif 000003
【数２】
2019205178.tif 000004
【００２１】
［１−３．情報処理装置の実装例］
本発明は、下記の形態で実施することが可能である。
・サーバ装置が連結映像を生成してユーザ装置に提供し、ユーザ装置が連結映像を表示する。この実装態様では、サーバ装置が本発明に係る「情報処理装置」に該当する。
・サーバ装置が再生リストを作成してユーザ装置に提供し、ユーザ装置が再生リストに基づいて連結映像を構成する個別の映像を順次表示する。この実装態様では、サーバ装置が本発明に係る「情報処理装置」に該当する。
・ユーザ装置が連結映像を生成し、ユーザ装置が連結映像を表示する。この実装態様では、ユーザ装置が本発明に係る「情報処理装置」に該当する。
・ユーザ装置が再生リストを作成し、ユーザ装置が再生リストに基づいて連結映像を構成する個別の映像を順次表示する。この実装態様では、ユーザ装置が本発明に係る「情報処理装置」に該当する。
【実施例】
【００２２】
［２．実施例］
［２−１．概要］
特定の人物（例えば、乳幼児）をそれぞれ被写体とする複数の動画ファイル（「映像ファイル」の一例。）から好適な部分を抽出し撮影時期の昇順に連結することにより、被写体である人物の成長過程を表現する連結動画（「連結映像」の一例。）を生成する。
本実施例では、素材とする複数の動画ファイルのうち少なくとも一部から連結動画に採録されるべき映像をそれぞれ抽出する際に撮影時期の偏りを抑止するため、動画ファイルが相対的に多い時期に撮影された動画ファイルを相対的に選定されにくく設定することにより時期的に近接する複数の動画ファイルばかりから映像が抽出される可能性を軽減させる。
【００２３】
［２−２．ネットワーク構成］
図２に、実施例のシステムのネットワーク構成例を示す。
本実施例のシステムは、配信管理サーバ１０と、編集管理サーバ２０（「情報処理装置」の一例。）と、ファイル管理サーバ３０と、複数のユーザ端末４０（４０−１，４０−２，…，４０−ｎ）と、を含む。
配信管理サーバ１０は、あるユーザ端末４０により投稿された動画ファイルを指定された範囲（例えば、投稿者が属する特定のオンラインコミュニティ（例えば、ＳＮＳ（Social Networking Service）におけるグループ）の内部）のユーザ端末４０に配信するサービス（以下、「動画配信サービス」という。）を提供する。一方、編集管理サーバ２０は、動画配信サービスで管理される動画ファイルを素材として連結動画を生成するサービス（以下、「連結動画生成サービス」という。）を提供する。
【００２４】
配信管理サーバ１０及び編集管理サーバ２０とユーザ端末４０とは、通信ネットワーク５０を通じてそれぞれデータの授受が可能である。また、配信管理サーバ１０及び編集管理サーバ２０は、ファイル管理サーバ３０を介して記憶装置３１に記憶されるデータ（本実施例では、動画ファイル）にアクセス可能である。
通信ネットワーク５０は、既存のネットワーク（例えば、インターネット（Internet），携帯電話網，無線ＷＡＮ（Wireless Wide Area Network），無線ＬＡＮ（Wireless Local Area Network），イーサネット（Ethernet）（登録商標）など）のうち少なくともいずれかを含んでいてよい。
【００２５】
［２−２−１．配信管理サーバ］
図２において、配信管理サーバ１０は、Ｗｅｂサーバプログラム（ＨＴＴＰデーモン（HyperText Transfer Protocol Daemon）ともいう。）がインストールされたサーバ装置（汎用コンピュータ）である。
配信管理サーバ１０は、例えば、動画ファイルを指定する所定の要求（リクエスト）に応じて、指定された動画ファイルをファイル管理サーバ３０を介して記憶装置３１から取得し、これを要求元に応答（レスポンス）する機能を有する。
なお、複数のサーバ装置を連携させて配信管理システムを構成し、配信管理サーバ１０の機能を分散させることも可能である。例えば、配信管理サーバ１０が外部の配信サーバへのリンク情報を提供したり同配信サーバへ所定の要求を転送（リダイレクト）したりすることにより、指定された動画ファイルを要求元に応答する処理を当該外部の配信サーバに負担させてもよい。
【００２６】
［２−２−２．編集管理サーバ］
図２において、編集管理サーバ２０は、Ｗｅｂサーバプログラム（ＨＴＴＰデーモン（HyperText Transfer Protocol Daemon）ともいう。）及びアプリケーションプログラムがインストールされたサーバ装置（汎用コンピュータ）である。
編集管理サーバ２０は、例えば、連結動画の生成要求に応じて連結動画を生成し、生成された連結動画に関する情報を要求元に提供する機能を有する。
なお、複数のサーバ装置を連携させて編集管理システムを構成し、編集管理サーバ２０の機能を分散させることも可能である。例えば、Ｗｅｂサーバプログラムがインストールされたサーバ装置（Ｗｅｂサーバ）と、アプリケーションプログラムがインストールされたサーバ装置（アプリケーションサーバ）とを別個に用意し、ユーザ端末４０からのアクセスに対応する機能と連結動画を生成する機能とを分散させてもよい。また、編集管理サーバ２０が外部の配信サーバへのリンク情報を提供したり同配信サーバへ所定の要求を転送（リダイレクト）したりすることにより、指定された動画ファイルを要求元に応答する処理を当該外部の配信サーバに負担させてもよい。その他、例えば、生成された連結動画ファイルを他の動画ファイルと同様にファイル管理サーバ３０に管理させることにより、生成された連結動画ファイルを要求元に応答する処理をファイル管理サーバ３０に実行させてもよい。
【００２７】
［２−２−３．ファイル管理サーバ］
図２において、ファイル管理サーバ３０は、ファイルサーバプログラムがインストールされたサーバ装置（汎用コンピュータ）である。
ファイル管理サーバ３０は、例えば、ファイルの格納要求に応じて要求元から取得されるファイルを記憶装置３１に格納する機能と、ファイルの抽出要求に応じて記憶装置３１から抽出されるファイルを要求元に応答する機能とを有する。
なお、複数のサーバ装置を連携させてファイル管理システムを構成し、ファイル管理サーバ３０の機能を分散させることも可能である。また、ファイル管理サーバ３０が内蔵し又は外部の接続可能な複数の記憶装置にデータを分散配置することも可能である。その他、ＮＡＳ（Network Attached Storage）と呼ばれる専用装置を用いて構成してもよい。
【００２８】
［２−２−４．ユーザ端末］
図２において、ユーザ端末４０は、データ表示機能，データ通信機能，映像撮影機能などを有するユーザ装置（汎用コンピュータ）である。
本実施例のシステムでは、ユーザ端末４０として、携帯電話，スマートフォン（smartphone），タブレット（tablet）端末，タブレットＰＣ（personal computer），小型のＰＣ，ウェアラブルデバイス（wearable device）などの携帯型のユーザ装置を用いることができる。
【００２９】
［２−３．ハードウェア構成］
［２−３−１．サーバ装置］
図３に、サーバ装置のハードウェア構成例を示す。
典型的なサーバ装置は、ＭＰＵ（Micro-Processing Unit）やＲＯＭ（Read Only Memory）を含む制御処理装置３１０と、ＲＡＭ（Random Access Memory）を含む主記憶装置３２０と、ＨＤＤ（Hard Disc Drive）を含む補助記憶装置３３０と、マウスやキーボードを含む入力装置３４０と、ディスプレイやスピーカを含む出力装置３５０と、ネットワークカード（Network Interface Card）を含む通信制御装置３６０と、を有する。
【００３０】
主記憶装置３２０、補助記憶装置３３０、入力装置３４０、出力装置３５０及び通信制御装置３６０は、バスラインを介して制御処理装置３１０とそれぞれ接続される。
制御処理装置３１０は、（１）補助記憶装置３３０に記憶されたプログラムを主記憶装置３２０上に読み込み、（２）プログラムの指示に従って入力装置３４０と補助記憶装置３３０と通信制御装置３６０との少なくともいずれかからデータを受け取り、（３）取得したデータをプログラムに規定される手順で演算・加工した上で、（４）演算済み・加工済みのデータを補助記憶装置３３０と出力装置３５０と通信制御装置３６０との少なくともいずれかに送り出す。
【００３１】
［２−３−２．ユーザ装置］
図４に、ユーザ装置のハードウェア構成例を示す。
典型的なユーザ装置は、制御処理部を構成するＭＰＵ４１１と、主記憶部を構成するＲＡＭ４２１と、補助記憶部を構成するＲＯＭ４２２及びＥＥＰＲＯＭ（Electrically Erasable Programmable Read-Only Memory）４２３と、入力出力部を構成するタッチパネルディスプレイ４３１と、通信制御部を構成するＮＩＣ（Network Interface Controller）４４１及び無線ＬＡＮ（Local Area Network）チップ４４２と、撮像素子（例えば、ＣＭＯＳ（Complementary Metal-Oxide Semiconductor）センサ）で撮影した画像をデジタル信号に変換するカメラ４５１と、音波によって生ずる振動板などの機械的な振動を電気信号に変換するマイクロフォン（Microphone）４５２と、複数の人工衛星からそれぞれ送出される所定の信号を用いて割り出した現在位置を示す位置情報を出力するＧＰＳチップ４６１と、現在時刻を出力する時計４６２と、を少なくとも有する。
【００３２】
ＲＡＭ４２１と、ＲＯＭ４２２と、ＥＥＰＲＯＭ４２３と、タッチパネルディスプレイ４３１と、ＮＩＣ４４１と、無線ＬＡＮチップ４４２と、カメラ４５１と、マイクロフォン４５２と、ＧＰＳチップ４６１と、時計４６２とは、バスラインを介してＭＰＵ４１１と接続される。
ＭＰＵ４１１は、（１）ＥＥＰＲＯＭ４２３に記憶されたプログラムをＲＡＭ４２１上に読み込み、（２）プログラムの指示に従ってタッチパネルディスプレイ４３１とＥＥＰＲＯＭ４２３とＮＩＣ４４１と無線ＬＡＮチップ４４２とカメラ４５１とマイクロフォン４５２とＧＰＳチップ４６１と時計４６２との少なくともいずれかからデータを受け取り、（３）取得したデータをプログラムに規定される手順で演算・加工した上で、（４）演算済み・加工済みのデータをＥＥＰＲＯＭ４２３とタッチパネルディスプレイ４３１とＮＩＣ４４１と無線ＬＡＮチップ４４２との少なくともいずれかに送り出す。
【００３３】
［２−４．機能構成］
図５に、「動画配信サービス」に関する配信管理サーバ、ファイル管理サーバ及びユーザ端末の機能構成例をそれぞれ示す。
配信管理サーバ１０の機能は、サーバ装置向けＯＳ（Operating System）と当該ＯＳ上で動作するＷｅｂサーバプログラムとがサーバ装置にそれぞれインストールされることにより実現される。ファイル管理サーバ３０の機能は、サーバ装置向けＯＳ（Operating System）と当該ＯＳ上で動作するファイルサーバプログラムとがサーバ装置にそれぞれインストールされることにより実現される。また、ユーザ端末４０の機能は、ユーザ装置向けＯＳと当該ＯＳ上で動作するブラウザプログラムや各種のプログラム（例えば、カメラ４５１やマイクロフォン４５２を駆動させるドライバプログラムやアプリケーションプログラム）とがユーザ装置にそれぞれインストールされることにより実現される。
【００３４】
図６に、「連結動画生成サービス」に関する編集管理サーバ、ファイル管理サーバ及びユーザ端末の機能構成例をそれぞれ示す。
編集管理サーバ２０の機能は、サーバ装置向けＯＳ（Operating System）と当該ＯＳ上で動作するＷｅｂサーバプログラム及びアプリケーションプログラムとがサーバ装置にそれぞれインストールされることにより実現される。ファイル管理サーバ３０及びユーザ端末４０の機能のうち図５と同一の符号が付されているものの機能は、図５に示す機能と同等である。
【００３５】
サーバ装置にインストールされるべきプログラムは、各種の記録媒体（例えば、ＣＤ（Compact Disc），ＤＶＤ（Digital Versatile Disk），ＭＯディスク（Magneto-Optical disk），フラッシュメモリ（flash memory）など）に記録された状態で配布され当該記録媒体からサーバ装置に読み込まれてもよいし、通信ネットワークを介し搬送波に重畳させてサーバ装置に供給されてもよい。また、出荷当初からインストールされていてもよい。
ユーザ装置にインストールされるべきプログラムは、通信ネットワークを介し搬送波に重畳させてユーザ装置に供給されるのが一般的である。なお、各種の記録媒体（例えば、ＣＤ，ＤＶＤ，ＭＯディスク，フラッシュメモリなど）に記録された状態で配布され当該記録媒体からユーザ装置に読み込まれてもよい。また、出荷当初からインストールされていてもよい。
【００３６】
［２−４−１．動画配信サービスに関する機能構成］
図５に示すように、ユーザ端末４０は、撮影部４０１０と、記憶部４０２０と、検出部４０３０と、要求部４０４０と、受領部４０５０と、表示部４０６０と、を具備する。
このうち、撮影部４０１０はカメラ４５１及びマイクロフォン４５２を含んで構成される。記憶部４０２０はＥＥＰＲＯＭ４２３を含んで構成される。検出部４０３０及び表示部４０６０はタッチパネルディスプレイ４３１を含んで構成される。要求部４０４０及び受領部４０５０はＮＩＣ４４１と無線ＬＡＮチップ４４２の少なくともいずれかを含んで構成される。
【００３７】
撮影部４０１０は、受光される映像及び集音される音声を所定形式でそれぞれ符号化したコンテンツとこれに付随するメタデータとを含む動画ファイルを生成し、記憶部４０２０に記憶させる。
メタデータには、ユーザ端末の種別（撮影装置）、ＧＰＳチップ４６１から取得される位置情報（撮影位置）及び時計４６２から取得される時刻情報（撮影時期）が含まれる。
【００３８】
要求部４０４０は、検出部４０３０により検出されるタッチ操作により記憶部４０２０に記憶される動画ファイルの中から指定される動画を配信管理サーバ１０に投稿（ポスト）し、その管理を要求する（動画管理要求）。また、検出部４０３０により検出されるタッチ操作により配信管理サーバ１０で管理される動画の中から指定される指定動画の配信を配信管理サーバ１０に要求する（動画配信要求）。
受領部４０５０は、投稿した動画を受け付けた旨の通知（受付完了通知）を配信管理サーバ１０から受領する。また、指定した動画ファイル（指定動画ファイル）に関する情報（例えば、指定動画ファイルそのもの，指定動画ファイルの配信を手動で要求するためのリンク情報，指定動画ファイルの配信を自動で要求するためのリダイレクト情報など）を配信管理サーバ１０から受領する。その後、ユーザ端末４０は、必要に応じて指定動画を取得し表示部４０６０に表示させる。
【００３９】
図５に示すように、ファイル管理サーバ３０は、ファイル管理部３０１０と、ファイル記憶部３０２０とを具備する。
ファイル管理部３０１０は、外部からの格納要求に応じてファイル記憶部３０２０に投稿された動画ファイル（投稿動画ファイル）を記憶させるとともに、外部からの抽出要求に応じてファイル記憶部３０２０に記憶される指定動画ファイルを提供する。
【００４０】
図７に、ファイル記憶部３０２０に格納される動画ファイルのメタ情報の主要な項目を例示する。
図７に例示するように、メタ情報は、「動画ＩＤ」（キー項目）と、「ファイル名」と、保存場所を示す「ディレクトリパス」と、ファイルの「投稿者」と、コンテンツの圧縮形式を示す「ファイル種類」と、「フレームサイズ（幅，高さ）」と、「フレームレート」と、「長さ」（再生時間）と、「撮影時期」と、「撮影位置（経度，緯度，高度）」と、「撮影装置」と、単数又は複数の「タグ」と、「コメント」とを含む。
【００４１】
図５に示すように、配信管理サーバ１０は、受付部１０１０と、管理部１０２０と、応答部１０３０とを具備する。
受付部１０１０は、動画管理要求及び動画配信要求をユーザ端末４０から受け付ける。
管理部１０２０は、ログイン済みのユーザ端末４０から投稿（ポスト）される投稿動画ファイルに一意のＩＤを付与し、投稿者のＩＤに関連付けてファイル記憶部３０２０に格納するようファイル管理部３０１０に要求する。また、ユーザ端末４０により指定される指定動画ファイルをファイル記憶部３０２０から抽出するようファイル管理部３０１０に要求する。
応答部１０３０は、受付完了通知及び指定動画ファイルに関する情報をユーザ端末４０に応答する。
【００４２】
［２−４−２．連結動画生成サービスに関する機能構成］
図６に示すように、ユーザ端末４０は、検出部４０３０と、要求部４０４０と、受領部４０５０と、表示部４０６０と、を具備する。
このうち、検出部４０３０及び表示部４０６０はタッチパネルディスプレイ４３１を含んで構成される。要求部４０４０及び受領部４０５０はＮＩＣ４４１と無線ＬＡＮチップ４４２の少なくともいずれかを含んで構成される。
要求部４０４０は、検出部４０３０により検出されるタッチ操作に応じて、記憶部４０２０に記憶される動画ファイルの中から指定される複数の動画ファイルを素材とする連結動画の生成を要求する（連結動画生成要求）。
受領部４０５０は、生成された連結動画ファイルにアクセスするためのアクセス情報（例えば、連結動画ファイルの配信を手動で要求するためのリンク情報，連結動画ファイルの配信を自動で要求するためのリダイレクト情報など）を編集管理サーバ２０から受領する。その後、ユーザ端末４０は、指定動画を取得する手順と同様の手順で連結動画ファイルを取得し表示部４０６０に表示させる。
【００４３】
図６に示すように、編集管理サーバ２０は、受付部２０１０と、仕分部２０２０と、設定部２０３０と、選定部２０４０と、特定部２０５０と、抽出部２０６０と、連結部２０７０と、提示部２０８０とを具備する。
受付部２０１０は、連結動画生成要求をユーザ端末４０から受け付ける。
仕分部２０２０は、特定の人物に関連する複数の動画ファイルを所定期間ごとに区切られた複数の区分のいずれかに撮影時期に応じてそれぞれ仕分ける。設定部２０３０は、仕分部２０２０により仕分けられる動画ファイルの数が多い区分の動画ファイルほど選定されにくくなるように複数の動画ファイルに重みをそれぞれ設定する。
【００４４】
選定部２０４０は、設定部２０３０により設定される重みを加味して複数の動画ファイルの中から複数の動画ファイル（選定ファイル）を選定する。特定部２０５０は、選定部２０４０により選定される複数の選定ファイルにおいて連結動画を構成するべき指定長さの抽出部分をそれぞれ特定する。抽出部２０６０は、特定部２０５０によりそれぞれ特定される抽出部分を複数の選定ファイルからそれぞれ抽出する。連結部２０７０は、抽出部２０６０により抽出される映像を連結して連結動画を生成し、生成された連結動画をコンテンツとする連結動画ファイルをファイル記憶部３０２０に格納するようファイル管理部３０１０に要求する。以降、連結動画ファイルは、配信主体（サーバ名）、ディレクトリパス（格納位置）の一部、及び、ファイル名が連結されるＵＲＬ（Uniform Resource Locator）により特定される。
提示部２０８０は、連結部２０７０により生成される連結動画ファイルのアクセス情報をユーザ端末４０に応答する。
【００４５】
［２−５．連結映像の生成手順］
図８に、編集管理サーバによる連結映像の生成手順を例示する。
編集管理サーバ２０は、ユーザ端末４０からの要求に応じて、図８に示す手順で連結映像（連結動画）を生成する。
〔Ｓ８０２〕受付部２０１０が、ユーザ端末４０から連結動画生成要求（リクエスト）を受け付ける。連結動画生成要求は、「動画配信サービス」の各ページに共通して表示されるメニューに含まれ又はいずれかのページに個別に配置されるリンク要素（例えば、テキスト，画像，ボタンなど）の表示領域がユーザのタッチ操作により指定された際にユーザ端末４０から編集管理サーバ２０に送信されるものとする。なお、複数種類（例えば、３０秒バージョン及び３分バージョンの２種類）の連結動画を生成可能とする場合、連結動画のバージョンにそれぞれ対応する複数のリンク要素を配置してもよい。この場合、連結動画生成要求にはバージョンを識別可能なパラメータを含ませるとよい。また、素材とする動画ファイルの数が不足する場合には、リンク要素を無効化（非表示又はグレーアウト）してもよい。
【００４６】
〔Ｓ８０４〕仕分部２０２０が、特定の人物に関連する複数の動画ファイルを月ごとに区切られた複数の区分のいずれかに撮影時期に応じてそれぞれ仕分ける。なお、本実施例では、撮影ミスに係る動画ファイルが紛れている可能性を考慮して、コンテンツの「長さ」が６秒間以上である動画ファイルを仕分けの対象とする。また、特定の人物に関連付けられたディレクトリに格納されていたり、特定の人物に関連付けられたタグやコメントが付加されていたり、特定の人物に関連するタイトルが付与されていたりするなど、当該人物を撮影した映像を含む可能性が高い動画ファイルを仕分けの対象とする。
【００４７】
〔Ｓ８０８〕設定部２０３０が、区分ごとに仕分部２０２０により当該区分に仕分けられる動画ファイルの数に反比例する重みを当該区分に属する複数の素材にそれぞれ設定する。
〔Ｓ８１０ａ〕選定部２０４０が、設定部２０３０により設定される重みを加味して複数の動画ファイルの中から複数の動画ファイル（選定ファイル）を選定する。本実施例では、各動画ファイルに設定された重みの大きさの比に応じて所定の数値範囲を分割し各映像ファイルをそれぞれいずれかの分割範囲に対応付け当該数値範囲の疑似乱数を発生させて発生した疑似乱数を含む分割区分に対応付けられている動画ファイルを選定する処理を繰り返す。選定数は連結動画の長さに応じて設定する。例えば、３０秒バージョンの連結動画を生成する場合は選定数３０、１８０秒バージョンの連結動画を生成する場合は選定数１８０に設定する。
【００４８】
〔Ｓ８１８〕特定部２０５０が、選定部２０４０により選定される複数の選定ファイルにおいて、連結動画を構成するべき指定長さ（本実施例では、一律に１秒間）の抽出部分をそれぞれ特定する。なお、本実施例では、先頭から５秒後の時点から１０秒後の時点までの範囲内で抽出部分をランダムに特定することにより、特定処理の迅速化を図っている。
〔Ｓ８２０〕抽出部２０６０が、特定部２０５０によりそれぞれ特定される抽出部分を複数の選定ファイルからそれぞれ抽出する。
【００４９】
〔Ｓ８２２〕連結部２０７０が、抽出部２０６０により抽出される映像を元の音声を残したまま撮影時期の昇順に連結し、必要に応じてＢＧＭ（background music）を付加して連結動画を生成し、生成された連結動画をコンテンツとする連結動画ファイルをファイル管理サーバ３０（記憶装置３１）に管理させる。ある選定ファイルの映像が縦長である場合は、フレーム画像の上部と下部の少なくともいずれかを切り取るか、フレーム画像のサイズを縮小するかして、横長の映像に高さを合わせるのが好ましい。
〔Ｓ８２４〕提示部２０８０が、連結部２０７０により生成される連結動画のアクセス情報をユーザ端末４０に応答（レスポンス）として返す。なお、連結動画の生成には相応の時間を要するため、Ｓ８０２のリクエストに対し例えば「作成中」と表示されるページをレスポンスとしていったん返し、その後ユーザ端末４０から編集管理サーバ２０に所定時間ごとにページ更新要求を送信させ、連結動画が完成した際に当該連結動画のアクセス情報を応答してもよい。また、連結動画ファイルが完成した旨を電子メールや通知機能を利用して指定された範囲のユーザに報知することとしてもよい。
【００５０】
［３．変形例］
［３−１．変形例１：動画ファイルが選定される度に重みを更新する］
いずれかの動画ファイルが選定ファイルとして選定される度に当該選定ファイルと所定の関係を有する他の動画ファイルの重み（選定されやすさ度合い）を半減し又は０（若しくは有効でない値）にしてもよい。
これにより、最新の重みを加味して動画ファイルが順次選定されれば、選定された動画ファイルと特定の関係にある他の動画ファイルがその後に選定される可能性が相対的に下がると同時にその他の動画ファイルがその後に選定される可能性が相対的に上がる。
以下では、所定の関係として、撮影時期が近接し又は部分的に重複する場合を想定した例（変形例１Ａ及び変形例１Ｂ）及び撮影者が重複する場合を想定した例（変形例１Ｃ）を例示する。変形例１Ａ〜変形例１Ｃは、相互に組み合わせてもよい。
【００５１】
［３−１−１．変形例１Ａ］
いずれかの動画ファイルが選定ファイルとして選定される度に同一区分に属する他の動画ファイルの少なくとも一部の重み（選定されやすさ度合い）を半減し又は０（若しくは有効でない値）にしてもよい。
これにより、最新の重みを加味して動画ファイルが順次選定されれば、選定された動画ファイルと同一の区分に仕分けられている他の動画ファイルがその後に選定される可能性が相対的に下がると同時に他の区分に仕分けられている動画ファイルがその後に選定される可能性が相対的に上がるため、結果的に撮影時期がより偏りにくくなる。
【００５２】
具体的には、撮影時期が近接する（例えば、撮影日が同一である）複数の動画ファイルをグループ化し、いずれかが選定ファイルとして選定される度に同一グループの他の関連動画ファイル（「関連映像ファイル」の一例。）の重み（選定されやすさ度合い）を半減し又は０（若しくは有効でない値）にするとよい。例えば、図９に示すように動画ファイルが存在する場合、撮影日が「Ｙ年Ｍ月Ｄ日」の動画ファイルの組＜ａ１，ａ２，ａ３，ｂ１，ｂ２，ｂ３＞及び撮影日が「Ｙ年Ｍ月（Ｄ＋１）日」の動画ファイルの組＜ａ４，ａ５＞をそれぞれグループ化する。
これにより、最新の重みを加味して動画ファイルが順次選定されれば、選定された動画ファイルと撮影時期が近い他の関連動画ファイルがその後に選定される可能性が相対的に下がると同時にその他の動画ファイルがその後に選定される可能性が相対的に上がるため、結果的に撮影時期がより偏りにくくなる。
【００５３】
特に、撮影時期の少なくとも一部が相互に重なる複数の動画ファイルをグループ化し、いずれかが選定ファイルとして選定される度に同一グループの他の関連動画ファイルの重み（選定されやすさ度合い）を０（又は有効でない値）にするのが好適である。例えば、図９に示すように動画ファイルが存在する場合、撮影日が「Ｙ年Ｍ月Ｄ日」で撮影時期が部分的に重なる動画ファイルの組＜ａ１，ｂ１＞，＜ａ２，ｂ１＞，＜ａ３，ｂ１＞又はこれらの組合せ＜ａ１，ａ２，ａ３，ｂ１＞をグループ化する。
これにより、最新の重みを加味して動画ファイルが順次選定されれば、選定された動画ファイルと同一の場面を撮影した映像を含む可能性が高い他の関連動画ファイルがその後に選定される可能性がなくなり、結果的に連結動画に採録される映像の重複が排除される。
【００５４】
なお、グループ化の条件として、複数の動画ファイルの撮影位置が極めて近接する場合に限ってもよい。あるいは、複数の動画ファイルが同一のディレクトリに保存されており又は複数の動画ファイルに同一のタグデータが付加されている場合に限ってもよい。
これらにより、同一の場面を撮影した映像を含む可能性が極めて高い他の関連動画ファイルの特定精度が向上する。
【００５５】
図１０に、編集管理サーバによる連結映像の生成手順の変形例を例示する。
編集管理サーバ２０は、ユーザ端末４０からの要求に応じて、図１０に示す手順で連結映像（連結動画）を生成してもよい。なお、実施例（図８）と同等の処理には同一の符号を付し重複説明を省略する。
〔Ｓ８０６〕仕分部２０２０が、動画ファイルをさらにグループ化する。例えば、撮影時期が近接し又は撮影時期の少なくとも一部が相互に重なる複数の動画ファイルをグループ化するとよい。また、グループ化の条件として、複数の動画ファイルの撮影位置が極めて近接する場合に限ってもよいし、複数の動画ファイルが同一のディレクトリに保存されており又は複数の動画ファイルに同一のタグが付加されている場合に限ってもよい。
【００５６】
〔Ｓ８１０ｂ〕選定部２０４０が、設定部２０３０により設定される最新の重みを加味して複数の素材の中から単数の動画ファイル（選定ファイル）を選定する。本実施例では、各動画ファイルに設定された重みの割合に応じて所定の数値範囲を分割し各映像ファイルをそれぞれいずれかの分割範囲に対応付け、当該数値範囲の疑似乱数を発生させて発生した疑似乱数を含む分割範囲に対応付けられている動画ファイルを選定する。
〔Ｓ８１２ｂ〕選定部２０４０が、選定ファイルの数が上限数に等しいか否かを判定する。等しくなければ（Ｓ８１２ｂ：Ｎｏ）、Ｓ８１４ｂに進む。一方、等しければ（Ｓ８１２ｂ：Ｙｅｓ）、ループを抜けてＳ８１８に進む。なお、選定数の上限値は連結動画の長さに応じて設定する。例えば、３０秒バージョンの連結動画を生成する場合は選定数３０、１８０秒バージョンの連結動画を生成する場合は選定数１８０に設定する。
【００５７】
〔Ｓ８１４ｂ〕選定部２０４０が、直前に選定された動画ファイルと同一のグループに属する他の関連動画ファイルが存在するか否かを判定する。存在する場合（Ｓ８１４ｂ：Ｙｅｓ）、Ｓ８１６ｂに進む。一方、存在しない場合（Ｓ８１４ｂ：Ｎｏ）、Ｓ８１０ｂに戻る。
〔Ｓ８１６ｂ〕設定部２０３０が、直前に選定された動画ファイルと同一のグループに属する他の関連動画ファイルに重みを再設定する。例えば、撮影時期が近接する他の関連動画ファイルの重みを１／２にしたり、撮影時期の少なくとも一部が相互に重なる他の関連動画ファイルの重みを０（又は無効な値）にしたりするとよい。
【００５８】
［３−１−２．変形例１Ｂ］
動画ファイルが選定ファイルとして選定される度に、当該動画ファイルと区間の境界を跨いで撮影時期が近接する（例えば、撮影日のズレが一定日数以内である）他の動画ファイルの重み（選定されやすさ度合い）を縮小させてもよい。例えば、図１１に示すように動画ファイルが分布する場合、第（ｎ＋１）番目の区分のサブ区分３と第（ｎ＋２）番目の区分のサブ区分１の間で一方のサブ区分に属する動画ファイルが選定される度に他方のサブ区分に属する他の動画ファイルの重みを一律に２／３にする。
これにより、最新の重みを加味して動画ファイルが順次選定されれば、選定された動画ファイルと区分の境界線を跨いで撮影時期が近い他の動画ファイルがその後に選定される可能性が相対的に下がると同時にその他の動画ファイルがその後に選定される可能性が相対的に上がるため、区分の境界となる時期の直前直後に撮影時期が偏る不都合が解消される。
【００５９】
なお、動画ファイルが選定ファイルとして選定される度に、当該動画ファイルと区間の境界を跨いで撮影時期が近接する（例えば、撮影日のズレが一定日数以内である）他の動画ファイルの重み（選定されやすさ度合い）を撮影時期のズレの度合いに応じて段階的に縮小させてもよい。例えば、選定された動画ファイルとの撮影日のズレが区間の境界を跨いでｉ日（例えば、１≦ｉ≦１０）である動画ファイルの重みを（ｉ＋１）／（ｉ＋２）にする。
これにより、サブ区分に仕分ける処理を省略することができる。
【００６０】
図１２に、編集管理サーバによる連結映像の生成手順の変形例を例示する。
編集管理サーバ２０は、ユーザ端末４０からの要求に応じて、図１２に示す手順で連結映像（連結動画）を生成してもよい。なお、実施例（図８）又は変形例１Ａ（図１０）と同等の処理には同一の符号を付し重複説明を省略する。
〔Ｓ８０４〕仕分部２０２０が、特定の人物に関連する複数の動画ファイルを月ごとに区切られた複数の区分のいずれかに撮影時期に応じてそれぞれ仕分ける。また、必要に応じて、複数の動画ファイルをさらに、区分を細分化したサブ区分に仕分ける。
【００６１】
〔Ｓ８１４ｃ〕選定部２０４０が、直前に選定された動画ファイルと区分の境界を跨いで撮影時期が近接する他の動画ファイルが存在するか否かを判定する。存在する場合（Ｓ８１４ｃ：Ｙｅｓ）、Ｓ８１６ｃに進む。一方、存在しない場合（Ｓ８１４ｃ：Ｎｏ）、Ｓ８１０ｂに戻る。
〔Ｓ８１６ｃ〕設定部２０３０が、直前に選定された動画ファイルと区分の境界を跨いで撮影時期が近接する他の動画ファイルに重みを再設定する。例えば、区分の境界を跨いで隣接するサブ区分に属する他の動画ファイルの重みを２／３にしたり、撮影日のズレが区間の境界を跨いでｉ日（例えば、１≦ｉ≦１０）である動画ファイルの重みを（ｉ＋１）／（ｉ＋２）にしたりするとよい。
【００６２】
［３−１−３．変形例１Ｃ］
動画ファイルが選定ファイルとして選定される度に、当該動画ファイルと撮影装置又は投稿者が一致する他の動画ファイルの重み（選定されやすさ度合い）を半減させてもよい。
これにより、最新の重みを加味して動画ファイルが順次選定されれば、選定された動画ファイルと同一の撮影者により撮影された可能性が高い他の動画ファイルがその後に選定される可能性が相対的に下がると同時にその他の動画ファイルがその後に選定される可能性が相対的に上がるため、撮影者の偏りを抑止することができる。
【００６３】
［３−２．変形例２：連結動画の指定部分を代替映像に差し替える］
連結動画の表示中にユーザの所定動作（例えば、発声，ジェスチャ，マウス操作，ボタン操作，タッチ操作など）により指定される指定部分を、当該指定部分の映像と撮影時期が近接し又は少なくとも部分的に重なる代替映像に差し替える仕組みを、実施例，変形例１Ａ，変形例１Ｂ又は変形例１Ｃにさらに付加してもよい。
代替映像は指定部分の映像と撮影時期が近接し又は少なくとも部分的に重なるから、編集後の連結動画も撮影時期に偏りが発生しにくい。
【００６４】
［３−２−１．変形例２Ａ］
特に、複数の代替映像の候補を連結した候補連結動画をユーザにさらに提示し、候補連結動画の表示中に検出されるタッチ操作により指定されるタイミングに対応する候補を代替映像に取り込んでもよい。
変形例２Ａは、構成がシンプルであるため、直観的に操作することができる。加えて、実施例や変形例からの変更要素が少なくて済む。
【００６５】
例えば、連結動画（図１３（ａ））の映像Ａ及び映像Ｂが表示部４０６０に表示されているタイミングで、検出部４０３０により連結動画表示領域を対象とする所定のタッチ操作（例えば、タップ操作）がそれぞれ検出されたとする。
このとき、編集管理サーバ２０は、指定されたタイミングに応じて映像Ａに対する候補連結動画（図１３（ｂ））及び映像Ｂに対する候補連結動画（図１３（ｃ））をそれぞれユーザに提示し、指定部分（映像Ａ及び映像Ｂ）に差し替えるべき代替映像をそれぞれ選択させる。
代替映像が選択されると、編集管理サーバ２０は、連結動画の指定部分（映像Ａ及び映像Ｂ）が代替映像にそれぞれ差し替えられた新たな連結動画を生成し、ユーザに提示する。
【００６６】
なお、候補連結動画は、例えば次の映像のうち少なくとも一部を代替映像の候補として抽出しこれらを撮影時期の順に又はランダムに連結することにより生成するとよい。
・指定部分の映像の抽出元の動画ファイル（選定ファイル）から抽出される単数又は複数の指定長さの映像。例えば、選定ファイルを抽出数に応じて複数の部分に分割し、指定部分の映像を含まない部分からそれぞれ抽出される指定長さの映像。
・指定部分の映像の抽出元の動画ファイル（選定ファイル）と撮影時期が近接し又は撮影時期の少なくとも一部が相互に重なる複数の動画ファイル（変形例１Ａのようにグループ化している場合は、同一のグループに属する他の関連動画ファイル）から少なくとも１部分ずつそれぞれ抽出される指定長さの映像。
【００６７】
［３−２−２．変形例２Ｂ］
特に、単数又は複数の分割映像（例えば、撮影時期が少なくとも部分的に重なる複数の動画ファイルからそれぞれ抽出される候補が複数の区画（例えば、ｍ行ｎ列の区画，単数の主たる区画と単数又は複数の従たる区画）に分割された画面に同時に表示される映像）を含む連結動画をユーザに提示し、分割映像の表示中に検出されるタッチ操作により指定される区画に対応する候補を代替映像に取り込んでもよい。
変形例２Ｂは、当初から選択肢のある連結動画をユーザに提示するとともに、所定のタッチ操作がタイミングの指定と候補の選択とを兼ねるため、連結動画を編集するための工程が少なくて済む。
【００６８】
例えば、当初の連結動画（図１４（ａ））に分割映像Ｃ（図１４（ｂ）又は図１４（ｃ））が含まれているものとする。
図１４（ｂ）に例示される分割映像Ｃは、２行２列で合計４つの区画（１Ａ，１Ｂ，２Ａ，２Ｂ）に画面が均等に分割されており、異なる複数の動画ファイル（例えば、図９に示す４つの動画ファイルａ１，ａ２，ａ３，ｂ１がグループ化されており、いずれかが選定ファイルとして選定された場合に、当該選定ファイルを含むグループ内の４つの動画ファイル）からそれぞれランダムに抽出される指定長さの映像が各区画に同時に表示されるものとする。このとき、抽出された映像と当該映像を表示させる区画との対応関係は任意に決定してよい。
一方、図１４（ｃ）に例示される分割映像Ｃは、１つの主たる区画（３Ａ）と主たる区画の表示範囲の前面に重畳的に配置される３つの従たる区画（４Ａ，４Ｂ，４Ｃ）の合計４つの区画に画面が分割されており、異なる複数の動画ファイル（例えば、図９に示す４つの動画ファイルａ１，ａ２，ａ３，ｂ１がグループ化されており、いずれかが選定ファイルとして選定された場合に、当該選定ファイルを含むグループ内の４つの動画ファイル）からそれぞれランダムに抽出される指定長さの映像が各区画に同時に表示されるものとする。このとき、選定ファイルから抽出された映像は主たる区画（３Ａ）に、選定ファイル以外の関連動画ファイルからそれぞれ抽出された映像は従たる区画に、それぞれ表示させるとよい。なお、表示領域が互いに重ならないように主たる区画と従たる区画とを配置してもよい。
【００６９】
そして、分割映像が表示部４０６０に表示されているタイミングで、検出部４０３０によりいずれかの区画を対象とする所定のタッチ操作（例えば、タップ操作）が検出されたとする。
このとき、編集管理サーバ２０は、指定されたタイミングに対応する指定部分（分割映像Ｃ）が指定された区画に対応する映像に差し替えられた新たな連結動画を生成し、ユーザに提示する。
【００７０】
［３−２−３．変形例２Ｃ］
特に、単数又は複数の分割映像を含む連結動画をユーザに提示し、分割映像の表示中に検出される第１タッチ操作（例えば、シングルタップ操作，第２タッチ操作と異なる特定方向へのフリック操作又はスワイプ操作など）により指定される区画に対応する候補を代替映像に取り込むとともに、分割映像の表示中に検出される第２タッチ操作（例えば、ダブルタップ操作，プレス操作，第１タッチ操作と異なる特定方向へのフリック操作又はスワイプ操作など）により指定される区画に対応する候補の抽出元の動画ファイルの他の部分を連結した候補連結動画をユーザにさらに提示し、候補連結動画の表示中にタッチ操作により指定されるタイミングに対応する候補を代替映像に取り込んでもよい。
【００７１】
変形例２Ｃは、当初から選択肢のある連結動画をユーザに提示するとともに、所定のタッチ操作（第１タッチ操作及び第２タッチ操作）がタイミングの指定と区画（候補）の選択とを兼ねるため、連結動画を編集するための工程が少なくて済む。
加えて、所定のタッチ操作（第１タッチ操作及び第２タッチ操作）により、表示されている候補をそのまま採用するか当該候補の前後の部分を検討するか、が選択可能であるため、より細やかな編集を直観的に行うことができる。
【００７２】
なお、候補連結動画は、例えば指定区画に対応する映像の抽出元の動画ファイルから抽出される単数又は複数の指定長さの映像（例えば、当該動画ファイルを抽出数に応じて複数の部分に分割し、指定区画に対応する映像を含まない部分からそれぞれ抽出される指定長さの映像）のうち少なくとも一部を代替映像の候補として抽出しこれらを撮影時期の順に又はランダムに連結することにより生成するとよい。
【００７３】
［３−２−４．変形例２Ｄ］
特に、単数又は複数の分割映像を含む連結動画をユーザに提示し、分割映像の表示中に検出される第１タッチ操作（例えば、シングルタップ操作，第２タッチ操作と異なる特定方向へのフリック操作又はスワイプ操作など）により指定される区画に対応する候補を代替映像に取り込むとともに、分割映像の表示中に検出される第２タッチ操作（例えば、ダブルタップ操作，プレス操作，第１タッチ操作と異なる特定方向へのフリック操作又はスワイプ操作など）により指定される区画に対応する候補の抽出元の動画ファイルの他の部分を連結した候補分割動画をユーザにさらに提示し、候補分割動画の表示中にタッチ操作により指定される区画に対応する候補を代替映像に取り込んでもよい。
【００７４】
変形例２Ｄは、変形例２Ｃと同様に、当初から選択肢のある連結動画をユーザに提示するとともに、所定のタッチ操作（第１タッチ操作及び第２タッチ操作）がタイミングの指定と区画（候補）の選択とを兼ねるため、連結動画を編集するための工程が少なくて済む。
加えて、所定のタッチ操作（第１タッチ操作及び第２タッチ操作）により、表示されている候補をそのまま採用するか当該候補の前後の部分を検討するか、が選択可能であるため、より細やかな編集を直観的に行うことができる。
【００７５】
［３−３．その他の変形例］
実施例ではコンテンツの長さが６秒間以上の動画ファイルのみを対象としているが、しきい値は任意に設定することができる。
実施例では動画コンテンツの先頭から５秒後の時点から１０秒後の時点までの範囲内で抽出部分をランダムに特定しているが、抽出部分を特定する範囲は任意に設定することができる。
実施例では抽出部分をランダムに特定しているが（図８，図１０，図１２のＳ８２０）、視聴者によるフィードバックに応じて特定してもよい。例えば、動画ファイルの表示中に視聴者に何らかの操作を行わせることとし、一定の期間内に当該操作が行われた累計回数が多い部分が含まれるように抽出部分を特定してもよい。
【符号の説明】
【００７６】
１０  配信管理サーバ
２０  編集管理サーバ
３０  ファイル管理サーバ
３１  記憶装置
４０  ユーザ端末
５０  通信ネットワーク
【図１】
2019205178.tif 000005
【図２】
2019205178.tif 000006
【図３】
2019205178.tif 000007
【図４】
2019205178.tif 000008
【図５】
2019205178.tif 000009
【図６】
2019205178.tif 000010
【図７】
2019205178.tif 000011
【図８】
2019205178.tif 000012
【図９】
2019205178.tif 000013
【図１０】
2019205178.tif 000014
【図１１】
2019205178.tif 000015
【図１２】
2019205178.tif 000016
【図１３】
2019205178.tif 000017
【図１４】
2019205178.tif 000018
【手続補正書】
【提出日】令和1年7月26日(2019.7.26)
【手続補正１】
【補正対象書類名】特許請求の範囲
【補正対象項目名】全文
【補正方法】変更
【補正の内容】
【特許請求の範囲】
【請求項１】
複数の区分のいずれかに仕分けられる複数の映像ファイルの中から連結映像の素材とする複数の選定ファイルを選定する際に、前記仕分けられる映像ファイルの数の多い区分の映像ファイルを、前記仕分けられる映像ファイルの数の少ない区分の映像ファイルより選定されにくくなるように設定する情報処理装置。
【請求項２】
前記選定ファイルを選定する際に加味される重みを、前記仕分けられる映像ファイルの数が多い区分の映像ファイルほど選定されにくくするように設定する、請求項１に記載の情報処理装置。
【請求項３】
前記仕分けられる映像ファイルの数の多い区分の映像ファイルを、前記仕分けられる映像ファイルの数の少ない区分の映像ファイルより選定されにくくなるように設定する設定手段を備え、この設定手段が、１の映像ファイルが選定される度に該映像ファイルと所定の関係を有する他の映像ファイルが選定されなくなるように又は再設定前に比較して選定されにくくなるように再設定し、
前記設定手段での最新の設定に基づき複数の前記選定ファイルを順次選定する選定手段をさらに具備する、
請求項１または２に記載の情報処理装置。
【請求項４】
前記設定手段が、１の映像ファイルが選定される度に該映像ファイルと同一の区分に属する他の映像ファイルの少なくとも一部が選定されなくなるように又は再設定前に比較して選定されにくくなるように再設定する、
請求項３に記載の情報処理装置。
【請求項５】
所定の基準を満たす関係にある複数の映像ファイルが同一のグループに属するように前記複数の映像ファイルが前記区分内でさらにグループ化されており、
前記設定手段が、１の映像ファイルが選定される度に該映像ファイルと同一のグループに属する他の関連映像ファイルが選定されなくなるように又は再設定前に比較して選定されにくくなるように再設定する、
請求項４に記載の情報処理装置。
【請求項６】
所定の条件の少なくとも一部が相互に重なる複数の映像ファイルが同一のグループに属するようにグループ化されており、
前記設定手段が、１の映像ファイルが選定される度に該映像ファイルと同一のグループに属する前記他の関連映像ファイルが選定されなくなるように再設定する、
請求項５に記載の情報処理装置。
【請求項７】
前記所定の条件を満たす関係にある場合に限り前記所定の条件の少なくとも一部が重なる複数の映像ファイルが同一のグループに属するように、前記複数の映像ファイルはさらにグループ化されている、
請求項６に記載の情報処理装置。
【請求項８】
同一のディレクトリに保存されており又は同一のタグデータが付加されている場合に限り前記所定の条件の少なくとも一部が重なる複数の映像ファイルが同一のグループに属するように、前記複数の映像ファイルはさらにグループ化されている、
請求項６に記載の情報処理装置。
【請求項９】
複数の前記選定ファイルにおいてそれぞれ特定される前記抽出部分が順次表示される前記連結映像を表示装置に表示させる提示手段と、
前記連結映像の表示中に視聴者の所定動作により指定される指定部分を代替映像に差し替える編集手段と、
をさらに具備する請求項５から請求項８までのいずれか一項に記載の情報処理装置。
【請求項１０】
前記提示手段が、前記指定部分の抽出元の選定ファイルの他の部分及び該選定ファイルと同一のグループに属する前記他の関連映像ファイルの部分の少なくともいずれかをそれぞれ含む複数の前記代替映像の候補を連結した候補連結映像を該指定部分が指定された後に前記表示装置にさらに表示させ、
前記編集手段が、前記候補連結映像の表示中に視聴者の指定操作により指定される指定候補を前記代替映像に取り込む、
請求項９に記載の情報処理装置。
【請求項１１】
前記提示手段が、前記選定ファイル及び該選定ファイルと同一のグループに属する前記他の関連映像ファイルにおいてそれぞれ特定される前記抽出部分の候補が複数の区画に分割された画面に同時に表示される分割映像を含む前記連結映像を前記表示装置に表示させ、
前記編集手段が、前記指定部分が前記分割映像を含む場合に該指定部分を指定するためのタッチ操作により併せて指定される指定区画に表示されていた候補を前記代替映像に取り込む、
請求項９に記載の情報処理装置。
【請求項１２】
前記提示手段が、前記選定ファイル及び該選定ファイルと同一のグループに属する前記他の関連映像ファイルにおいてそれぞれ特定される前記抽出部分の候補が複数の区画に分割された画面に同時に表示される分割映像を含む前記連結映像を前記表示装置に表示させ、
前記編集手段が、前記指定部分が前記分割映像を含む場合に該指定部分を指定するための第１タッチ操作により併せて指定される指定区画に表示されていた候補を前記代替映像に取り込み、
前記提示手段が、前記指定部分が前記分割映像を含む場合に該指定部分を指定するための第２タッチ操作により併せて指定される指定区画に表示されていた候補の抽出元の選定ファイルの他の部分をそれぞれ含む複数の前記代替映像の候補を連結した候補連結映像を該指定区画が指定された後に前記表示装置にさらに表示させ、
前記編集手段が、前記候補連結映像の表示中に視聴者の指定操作により指定される指定候補を前記代替映像に取り込む、
請求項９に記載の情報処理装置。
【請求項１３】
前記提示手段が、前記選定ファイル及び該選定ファイルと同一のグループに属する前記他の関連映像ファイルにおいてそれぞれ特定される前記抽出部分の候補が複数の区画に分割された画面に同時に表示される分割映像を含む前記連結映像を前記表示装置に表示させ、
前記編集手段が、前記指定部分が前記分割映像を含む場合に該指定部分を指定するための第１タッチ操作により併せて指定される指定区画に表示されていた候補を前記代替映像に取り込み、
前記提示手段が、前記指定部分が前記分割映像を含む場合に該指定部分を指定するための第２タッチ操作により併せて指定される指定区画に表示されていた候補の抽出元の選定ファイルの他の部分をそれぞれ含む複数の前記代替映像の候補が複数の区画に分割された画面に同時に表示される候補分割映像を該指定区画が指定された後に前記表示装置にさらに表示させ、
前記編集手段が、前記候補分割映像の表示中に視聴者のタッチ操作により指定される指定区画に表示されていた候補を前記代替映像に取り込む、
請求項９に記載の情報処理装置。
【請求項１４】
前記設定手段が、１の映像ファイルが選定される度に該映像ファイルと前記区分の境界を跨いで所定の基準を満たす関係にある他の映像ファイルが選定されにくくなるように再設定する、
請求項４から請求項１３までのいずれか一項に記載の情報処理装置。
【請求項１５】
前記設定手段が、１の映像ファイルが選定される度に該映像ファイルと撮影装置又は投稿者が一致する他の映像ファイルが選定されにくくなるように該他の映像ファイルに重みを再設定する、
請求項３から請求項１４までのいずれか一項に記載の情報処理装置。
【請求項１６】
複数の区分のいずれかに仕分けられる複数の映像ファイルの中から連結映像の素材とする複数の選定ファイルを選定する際に、前記仕分けられる映像ファイルの数の多い区分の映像ファイルを、前記仕分けられる映像ファイルの数の少ない区分の映像ファイルより選定されにくくなるように設定する設定機能を情報処理装置のコンピュータに実現させる制御プログラム。
【手続補正２】
【補正対象書類名】明細書
【補正対象項目名】０００６
【補正方法】変更
【補正の内容】
【０００６】
本発明が解決しようとする課題は、素材とする複数の映像ファイルのうち少なくとも一部から連結映像に組み入れるべき映像を抽出する際の偏りを抑止する、という点である。
【手続補正３】
【補正対象書類名】明細書
【補正対象項目名】００１５
【補正方法】変更
【補正の内容】
【００１５】
本発明によれば、素材とする複数の映像ファイルのうち少なくとも一部から連結映像に組み入れるべき映像を抽出する際の偏りが抑止される。